(57)【要約】【課題】表裏両面に特に留意することなく、ベッド等に設置することができ、しかも、表裏両面のいずれの面にもリネン材等を容易にセットすることのできるマットレスを提供する。【解決手段】表裏両面のいずれの面も使用可能なリバーシブルマットレス１０を備え、このリバーシブルマットレス１０の周縁部である四隅部２５付近における厚さ方向の中間部分に、リバーシブルマットレス１０の隅部を斜めに横切ることが可能な固定テープ３０をそれぞれ取り付け、各固定テープ３０をリバーシブルマットレス１０の隅部表面側と隅部裏面側のいずれにも嵌め合わせ可能とする。固定テープ３０をリバーシブルマットレス１０の四隅部２５付近における厚さ方向の中間部分に配設するので、固定テープ３０に固定機能を発揮させるため、リバーシブルマットレス１０の表裏両面に特に注意してベッドに設置する必要性が少ない。【選択図】図２
2019050931.tif 000002
【特許請求の範囲】
【請求項１】
マットレス本体の周縁部に、マットレス本体の隅部を略斜めに横切ることが可能な固定部材を取り付け、この固定部材をマットレス本体の隅部表面側と隅部裏面側のいずれにも嵌め合わせ可能としたことを特徴とするマットレス。
【請求項２】
マットレス本体を、表裏両面のいずれの面も使用可能なリバーシブルマットレスとした請求項１記載のマットレス。
【請求項３】
マットレス本体の周縁部を、マットレス本体の隅部付近における厚さ方向の中間部分とした請求項１又は２記載のマットレス。
【請求項４】
マットレス本体の四隅部付近における厚さ方向の中間部分に、固定部材をそれぞれ取り付け、マットレス本体の表裏両面のうち、いずれかの面にリネン材を重ねる場合に、リネン材の四隅部をマットレス本体と複数本の固定部材とに挟み持たせるようにした請求項１から３の何れか一項に記載のマットレス。
【請求項５】
マットレス本体を少なくとも二つ折りに折り畳んで搬送可能とし、固定部材に非伸縮性を付与し、マットレス本体を折り畳んで搬送する場合に、固定部材を取手として用いるようにした請求項１から４の何れか一項に記載のマットレス。
【請求項６】
マットレス本体は、少なくとも弾性を有するクッション材と、このクッション材を覆い包む側地材とを含み、この側地材の周縁部の少なくとも一部分に開閉領域が形成されるとともに、この開閉領域に、開閉用のファスナーが取り付けられ、側地材のファスナーに固定部材の両端部が取り付けられることにより、側地材の隅部付近に、固定部材が側地材隅部の表面側又は裏面側を斜めに横切るよう取り付けられる請求項１から５の何れか一項に記載のマットレス。
【請求項７】
クッション材は、少なくとも高反発層と、この高反発層に積層される高硬度層と、この高硬度層に積層される低硬度層とを含んでなる請求項６記載のマットレス。
【請求項８】
側地材は、クッション材に対応する大きさの表面側地と、この表面側地との間に少なくともクッション材を収容する裏面側地とを含み、これら表面側地と裏面側地とが対向してその周縁部同士が接合され、表面側地と裏面側地とに異なる模様が施される請求項６又は７に記載のマットレス。
【発明の詳細な説明】
【技術分野】
【０００１】
本発明は、就寝用のマットレスに関し、より詳しくは、表面のみならず、裏面をも使用することのできるマットレスの改良に関するものである。
【背景技術】
【０００２】
マットレス１Ａは、コイルタイプ、低反発タイプ、高反発タイプ、リバーシブルタイプ等がある（特許文献１、２参照）が、例えば図７ないし図１１に示すように、各種のクッション材を内蔵した肉厚の平面略長方形に構成され、ベッド２上に設置されており、表面にリネン材であるシーツ３が重ねてセットされる（特許文献３参照）。このマットレス１Ａの裏面四隅部付近には図１０に示すように、シーツ３用の固定ベルト４がそれぞれ斜めに縫製され、各固定ベルト４がシーツ３の隅部をマットレス１Ａとの間に挟んで固定するよう機能する。
【０００３】
このようなマットレス１Ａにシーツ３をセットしてベッドメイキングする場合には、マットレス１Ａの表面にシーツ３を左右均等になるよう広げ、このシーツ３の周縁部をマットレス１Ａの裏面側に巻き込むとともに、シーツ３の周縁部をベッド２とマットレス１Ａの裏面との間に折り込んで挟み、シーツ３の四隅部をマットレス１Ａの裏面四隅部と固定ベルト４との間に挟んで固定すれば、ベッドメイキングしてベッド２を快適な状態に保つことができる。
【先行技術文献】
【特許文献】
【０００４】
【特許文献１】実開平０１‐０３２６６４号公報
【特許文献２】特開２０１３‐１４６４８６号公報
【特許文献３】特開平８‐３２２６７８号公報
【発明の概要】
【発明が解決しようとする課題】
【０００５】
従来におけるマットレス１Ａは、以上のように構成され、裏面四隅部付近に、シーツ３用の固定ベルト４がそれぞれ縫製される場合には、表面にシーツ３がセットされる際、シーツ３の抜けや皺の発生を有効に防ぐことが可能となる。しかしながら、マットレス１Ａの裏面四隅部付近に固定ベルト４が縫製される場合には、マットレス１Ａの表裏両面に留意してベッド２に設置する必要がある。
【０００６】
この点について詳しく説明すると、マットレス１Ａの表面を上向きにしてベッド２に設置する場合には、シーツ３の四隅部を固定することはできるものの、マットレス１Ａの裏面を上向きにしてベッド２に設置する場合には、シーツ３の四隅部をマットレス１Ａの下向きの表面四隅部と固定ベルト４との間に挟んで固定するのは、構造上不可能である。このようにマットレス１Ａの裏面四隅部付近に固定ベルト４が縫製される場合には、固定ベルト４に固定機能を発揮させるため、マットレス１Ａの表裏両面に留意してベッド２に設置する必要があるので、設置作業の煩雑化や遅延を招くこととなる。
【０００７】
この点に関し、マットレス１Ａが表裏両面のいずれの面も使用可能なリバーシブルマットレス１０Ａの場合（図１１参照）には、リバーシブルマットレス１０Ａの表裏両面に特に留意することなく、ベッド２に設置することが可能となる。しかしながら、リバーシブルマットレス１０Ａには、シーツ３用の固定ベルト４が何ら設けられていないので、シーツ３を固定したり、シーツ３の抜けや皺の発生を防ぐことは困難となる。
【０００８】
本発明は上記に鑑みなされたもので、表裏両面に特に留意することなく、ベッド等に設置することができ、しかも、表裏両面のいずれの面にもリネン材等を容易にセットすることのできるマットレスを提供することを目的としている。
【課題を解決するための手段】
【０００９】
本発明においては上記課題を解決するため、マットレス本体の周縁部に、マットレス本体の隅部を略斜めに横切ることが可能な固定部材を取り付け、この固定部材をマットレス本体の隅部表面側と隅部裏面側のいずれにも嵌め合わせ可能としたことを特徴としている。
【００１０】
なお、マットレス本体を、表裏両面のいずれの面も使用可能なリバーシブルマットレスとすることができる。
また、マットレス本体の周縁部を、マットレス本体の隅部付近における厚さ方向の中間部分とすることができる。
【００１１】
また、マットレス本体の四隅部付近における厚さ方向の中間部分に、固定部材をそれぞれ取り付け、マットレス本体の表裏両面のうち、いずれかの面にリネン材を重ねる場合に、リネン材の四隅部をマットレス本体と複数本の固定部材とに挟み持たせることもできる。
また、マットレス本体を少なくとも二つ折りに折り畳んで搬送可能とし、固定部材に非伸縮性を付与し、マットレス本体を折り畳んで搬送する場合に、固定部材を取手として用いることが可能である。
【００１２】
また、マットレス本体は、少なくとも弾性を有するクッション材と、このクッション材を覆い包む側地材とを含み、この側地材の周縁部の少なくとも一部分に開閉領域が形成されるとともに、この開閉領域に、開閉用のファスナーが取り付けられ、側地材のファスナーに固定部材の両端部が取り付けられることにより、側地材の隅部付近に、固定部材が側地材隅部の表面側又は裏面側を斜めに横切るよう取り付けられると良い。
【００１３】
また、クッション材は、少なくとも高反発層と、この高反発層に積層される高硬度層と、この高硬度層に積層される低硬度層とを含むことが可能である。このクッション材としては、ウレタン等があげられるが、高反発性等の特性が類似しているのであれば、他の材料（各種エラストマー等）でも良い。
また、側地材は、クッション材に対応する大きさの表面側地と、この表面側地との間に少なくともクッション材を収容する裏面側地とを含み、これら表面側地と裏面側地とが対向してその周縁部同士が接合され、表面側地と裏面側地とに異なる模様が施されると良い。
【００１４】
ここで、特許請求の範囲におけるマットレス本体は、単層構造、二層構造、三層構造、四層構造、五層構造等に積層形成し、各種のベッドや診察台等の支持用具に支持させることができる。このマットレス本体は、その表裏両面の質感や特性等が同一でも良いし、相違しても良い。マットレス本体の「隅部」には、少なくとも二隅部、三隅部、四隅部が含まれる。「隅部付近における厚さ方向の中間部分」は、隅部付近における厚さ方向の両端部以外の部分が該当し、少なくとも隅部付近における厚さ方向の中央部分と、隅部付近における厚さ方向の中央部分とおおよそ認められる部分のいずれもが含まれる。
【００１５】
リネン材には、少なくともシーツや毛布等が含まれる。また、マットレス本体のクッション材は、高反発層と高硬度ウレタン層との間に介在されるウレタン層又はファイバー層を備えると良い。また、高硬度ウレタン層と低硬度層との間に介在されるエラストマー製の高反発層を備えることがより好ましい。さらに、クッション材は、立体網状体を使用しない弾性のマット（ウレタンマット等）でも良い。
【００１６】
本発明によれば、固定部材を、マットレス本体の裏面隅部付近に設けるのではなく、マットレス本体の周縁部に設けてマットレス本体の隅部表面側又は隅部裏面側を略斜めに横切ることができるようにするので、固定部材の固定機能を維持するため、マットレス本体の表裏両面に特に留意してベッド等の支持用具に設置する必要性が少ない。また、例えマットレス本体がリバーシブルマットレスの場合にも、リバーシブルマットレスにリネン材等を固定し、リネン材等の脱落を防ぐことができる。
【発明の効果】
【００１７】
本発明によれば、固定部材をマットレス本体の隅部表面側と隅部裏面側のいずれにも嵌め合わせ可能とするので、マットレス本体の表裏両面に特に注意することなく、ベッド等の支持用具にマットレス本体を設置することができるという効果がある。
【図面の簡単な説明】
【００１８】
【図１】本発明に係るマットレスの実施形態を模式的に示す側面説明図である。
【図２】本発明に係るマットレスの実施形態におけるリバーシブルマットレスを模式的に示す斜視説明図である。
【図３】本発明に係るマットレスの実施形態における二つ折りに折り畳まれたリバーシブルマットレスを模式的に示す斜視説明図である。
【図４】本発明に係るマットレスの実施形態におけるリバーシブルマットレスのクッション材を模式的に示す断面説明図である。
【図５】本発明に係るマットレスの第２の実施形態を模式的に示す斜視説明図である。
【図６】本発明に係るマットレスの第３の実施形態を模式的に示す断面説明図である。
【図７】従来におけるベッドとそのマットレスを示す側面説明図である。
【図８】シーツがセットされたマットレスを模式的に示す斜視説明図である。
【図９】マットレスの表面側を示す斜視説明図である。
【図１０】マットレスの裏面側と複数本の固定ベルトとを示す斜視説明図である。
【図１１】従来のリバーシブルマットレスを示す斜視説明図である。
【発明を実施するための形態】
【００１９】
以下、図面を参照して本発明の好ましい実施の形態を説明すると、本実施形態におけるマットレス１は、図１ないし図４に示すように、表裏両面のいずれの面も使用可能なリバーシブルマットレス１０であり、このリバーシブルマットレス１０の周縁部である四隅部２５付近における厚さ方向の中間部分に、リバーシブルマットレス１０の四隅部２５の表面又は裏面を斜めに横切ることが可能な複数本の固定テープ３０を配設するとともに、各固定テープ３０をリバーシブルマットレス１０の隅部表面側と隅部裏面側のいずれにも嵌合可能とし、この固定テープ３０により、シーツ３の隅部を挟んで固定するようにしている。
【００２０】
リバーシブルマットレス１０は、図１ないし図３に示すように、少なくとも弾性や体圧分散性に優れ、二つ折りに折り畳み可能な平面略長方形のクッション材１１と、このクッション材１１を表裏両面方向から覆い包む側地材２０とを備え、利用者等の様々なニーズに対応することができるよう、クッション材１１の表裏両面に異なる質感・特性が付与されており、このクッション材１１の表裏両面が選択的に使用される。このリバーシブルマットレス１０は、例えば長さ２１０ｃｍ×幅１００ｃｍ、長さ１９１ｃｍ×幅９１ｃｍ、長さ１９１ｃｍ×幅８３ｃｍ程度の大きさに形成され、ベッド２上に設置される。
【００２１】
クッション材１１は、特に限定されるものではないが、図４に示すように、体圧分散性と追従性に優れる裏面側の高反発ウレタン層１２と、この高反発ウレタン層１２上に積層接着されるウレタン層１３と、このウレタン層１３上に積層接着される高硬度ウレタン層１４と、この高硬度ウレタン層１４上に積層接着されて動きやすさをサポートする高反発ウレタン層１５と、この高反発ウレタン層１５上に積層接着される表面側の柔軟な低硬度ウレタン層１６とを上下多層構造に備え、側地材２０に被覆保護されてベッド２上に水平に設置される。
【００２２】
クッション材１１は、その前後両端部に、高反発ウレタン層１２と高硬度ウレタン層１４との間に介在する硬質のストッパ１７がそれぞれ選択的に配設され、左右両側部に図示しない姿勢安定用の硬いサイドエッジがそれぞれ幅広に選択的に配設されており、必要に応じ、上下（表裏）反転して使用される。このクッション材１１の表面側の低硬度ウレタン層１６は、高反発ウレタン層１２が使用されない場合、例えば利用者の体全体を包み込みたい場合に使用される。
【００２３】
これに対し、裏面側の高反発ウレタン層１２は、低硬度ウレタン層１６が使用されない場合、例えば利用者の体の沈み込みを抑制したい場合に、リバーシブルマットレス１０を反転させて使用される。この高反発ウレタン層１２は、断面略板形でも良いが、断面視で凹凸構造を有する凹凸構造等でも良い。また、高硬度ウレタン層１４は、クッション材１１の中間層として、リバーシブルマットレス１０の表裏両面に対して背上げ時の底付きを防止するよう機能する。ストッパ１７は断面矩形の棒形等に形成され、サイドエッジは表面が凹凸構造の略帯形等に構成される。
【００２４】
側地材２０は、図２等に示すように、クッション材１１に対応する大きさの表面側地２１と、この表面側地２１との間に少なくともクッション材１１を収容する裏面側地２２とを備え、これら表面側地２１と裏面側地２２とが相対向してその周縁部同士が縫製される。表面側地２１と裏面側地２２とは、例えばポリエステル、レーヨン、トリコット、木綿等含有の素材によりそれぞれ平面長方形に形成され、クッション材１１の表裏両面の判別を容易にする観点から、異なる色付き模様（例えば、橙色と水色、青色と白色等）が施される。表面側地２１と裏面側地２２とは、表面側地２１がクッション材１１の低硬度ウレタン層１６に対向し、裏面側地２２が高反発ウレタン層１２に対向する関係とされる。
【００２５】
側地材２０の周縁部、換言すれば、表面側地２１と裏面側地２２との周縁部は、少なくとも隅部を含む一部分が側地材２０の交換の便宜を図るため、開閉可能な開閉領域２３に形成され、この開閉領域２３には、開閉用のファスナー２４が周方向に縫製される。開閉領域２３は、例えば側地材周縁部の四辺のうち、隣接する二辺、三辺、あるいは三辺と残り一辺の両端部にかけて形成される。また、開閉用のファスナー２４は、側地材２０がクッション材１１を被覆保護する際、クッション材１１の周面厚さ方向の中央部分やその近傍に位置するよう縫製される。
【００２６】
各固定テープ３０は、図１ないし図３に示すように、特に限定されるものではないが、固定力を増大させる観点から、可撓性と伸縮性を有するエラストマー製のテープ、具体的にはウレタン樹脂をポリエステル樹脂により被覆したゴムテープやクロロプレンゴム等からなり、側地材２０のファスナー２４に両端部が縫製して一体化されることにより、側地材２０の隅部付近に固定部材として位置する。この固定テープ３０は、側地材２０の隅部の表面側あるいは裏面側を斜めに横切るよう取り付けられ、側地材２０の隅部表面側と隅部裏面側のいずれにも上下方向から跨いで嵌合可能とされる。
【００２７】
固定テープ３０の幅は、特に制約されるものではないが、手作業の便宜を図る観点から、１５ｍｍ〜３５ｍｍ、好ましくは２０ｍｍ〜３０ｍｍ、より好ましくは２５ｍｍ程度に設定される。また、固定テープ３０の長さは、シーツ３の隅部を挟んで固定する際、不用意に反対側にひっくり返ることのないよう、クッション材１１の硬い隅部の角、例えばクッション材１１の硬い高硬度ウレタン層１４における隅部の角、あるいは硬いサイドエッジにおける隅部の角を基準に調整される。
【００２８】
この点に鑑み、固定テープ３０の最短の長さは、３６０ｍｍ〜３８０ｍ、好ましくは３６５ｍｍ〜３７５ｍｍ、より好ましくは３７０ｍｍ程度に設定される。なお、固定テープの長さは一例であり、マットレスの厚みに応じて変わるものとする。固定テープ３０の端部は、制約されるものではないが、例えばベッドの図示しない付属品であるマットレス止との干渉を回避したい場合には、硬い高硬度ウレタン層１４の隅部の角、あるいは硬いサイドエッジにおける隅部の角から２００ｍｍ程度離れ、ファスナー２４の止め位置との干渉を回避するため、斜めに傾斜して縫製される。
【００２９】
このような固定テープ３０は、リバーシブルマットレス１０の低硬度ウレタン層１６側にシーツ３がセットされる場合には、シーツ３の隅部をリバーシブルマットレス１０隅部の高反発ウレタン層１２側との間に挟み持ち、低硬度ウレタン層１６側を被覆するシーツ３を緊張させて固定するよう機能する。これに対し、高反発ウレタン層１２側にシーツ３がセットされる場合には、シーツ３の隅部をリバーシブルマットレス１０隅部の低硬度ウレタン層１６側との間に挟み持ち、高反発ウレタン層１２側を被覆するシーツ３を緊張させて固定する。
【００３０】
固定テープ３０は、リバーシブルマットレス１０が折り畳んで搬送される場合には、操作用の取手として選択的に用いられる。この場合、固定テープ３０が伸びると、リバーシブルマットレス１０の引張作業や持ち上げ作業に支障を来すおそれがあるので、経年的な弛みを防ぐ観点からも、固定テープ３０の材質が変更される。具体的には、殆ど伸縮しない非伸縮性のナイロンテープ、ポリエステルテープ、織物テープ等により帯形に形成される。
【００３１】
上記構成において、ベッド２にリバーシブルマットレス１０を単に設置する場合には、ベッド２上にリバーシブルマットレス１０を重ねて前後左右の位置を修正すれば、ベッド２にリバーシブルマットレス１０をセットすることができる。この際、必要に応じ、ベッド２上に除湿シーツを重ね、この除湿シーツ上にリバーシブルマットレス１０を重ねてセットすることができる。また、リバーシブルマットレス１０の表裏面の特性に留意して設置したい場合には、側地材２０の表面側地２１と裏面側地２２の異なる色付き模様に注意すれば、表裏面を適切に選択してリバーシブルマットレス１０を設置することができる。
【００３２】
次に、表面の低硬度ウレタン層１６が上向きのリバーシブルマットレス１０にシーツ３をセットしてベッドメイキングする場合には、先ず、リバーシブルマットレス１０の四隅部２５裏面側、換言すれば、四隅部２５の高反発ウレタン層１２側に固定テープ３０をそれぞれ引き下げて嵌合し、リバーシブルマットレス１０表面の低硬度ウレタン層１６側にシーツ３を左右均等になるよう広げて重ねる。この際、必要に応じ、リバーシブルマットレス１０表面の低硬度ウレタン層１６側にマットレスプロテクターとベッドパッドとを順次重ねて積層し、ベッドパッドにシーツ３を左右均等になるよう広げて重ねても良い。
【００３３】
シーツ３を広げて重ねたら、このシーツ３の周縁部をやや持ち上げたリバーシブルマットレス１０の裏面側に巻き込むとともに、シーツ３の周縁部をベッド２とリバーシブルマットレス１０の裏面側との間に折り込んで挟み、シーツ３の四隅部をリバーシブルマットレス１０の四隅部２５裏面と固定テープ３０との間に挟んで固定すれば、ベッド２を整えてシーツ３の抜けや皺の発生を防止することができる。
【００３４】
これに対し、裏面の高反発ウレタン層１２が上向きの反転したリバーシブルマットレス１０にシーツ３をセットしてベッドメイキングする場合には、先ず、リバーシブルマットレス１０の四隅部２５表面側、換言すれば、四隅部２５の低硬度ウレタン層１６側に固定テープ３０をそれぞれ引き下げて嵌合し、リバーシブルマットレス１０の高反発ウレタン層１２側にシーツ３を左右均等になるよう展開して重ねる。この際にも、リバーシブルマットレス１０表面の高反発ウレタン層１２側にマットレスプロテクターとベッドパッドとを順次重ねて積層し、ベッドパッドにシーツ３を左右均等になるよう展開して重ねることができる。
【００３５】
シーツ３を展開して重ねたら、このシーツ３の周縁部をやや持ち上げたリバーシブルマットレス１０の表面側に巻き込み、シーツ３の周縁部をベッド２とリバーシブルマットレス１０の表面側との間に折り込んで挟み、その後、シーツ３の四隅部をリバーシブルマットレス１０の四隅部２５表面と固定テープ３０との間に挟んで固定すれば、ベッドメイキングしてシーツ３の抜けや皺の発生を防止することができる。
【００３６】
上記構成によれば、固定テープ３０を、リバーシブルマットレス１０の裏面四隅部付近に配設するのではなく、リバーシブルマットレス１０の四隅部２５付近における厚さ方向の中間部分に配設するので、固定テープ３０に固定機能を発揮させるため、リバーシブルマットレス１０の表裏両面に特に注意してベッド２に設置する必要がない。したがって、リバーシブルマットレス１０の設置作業の簡素化、迅速化、容易化を図ることができる。また、マットレス１がリバーシブルマットレス１０の場合にも、従来とは異なり、シーツ３を固定し、シーツ３の抜けや皺の発生を防止することができる。これらの効果は、多数のベッド２を使用する医療施設や介護施設ではきわめて有意義である。
【００３７】
また、利用者やケア従事者等の多様なニーズに対応することができるよう、リバーシブルマットレス１０の表裏両面等に異なる特性を付与するので、リバーシブルマットレス１０の表裏両面をニーズに応じて使い分けることができる。例えば、クッション材１１の高反発ウレタン層１２を使用すれば、例えば利用者の身体の沈み込みを抑制し、自然な寝姿勢を保持することができる。これに対し、クッション材１１の柔軟な低硬度ウレタン層１６を用いれば、利用者の体圧を分散させながら、姿勢が崩れないよう身体全体を包み込むことが可能となる。
【００３８】
また、リバーシブルマットレス１０を折り畳んで搬送する場合には、シーツ３用の固定テープ３０が操作用の取手として機能するので、リバーシブルマットレス１０の周縁部長辺に専用の取手をあえて取り付ける必要がない。したがって、部品点数の削減を通じ、リバーシブルマットレス１０の構成の簡素化が大いに期待できる。さらに、固定テープ３０を非伸縮性とすれば、固定テープ３０の経年劣化を防止することができる他、リバーシブルマットレス１０の引張作業や持ち上げ作業等にリバーシブルマットレス１０が床面に接触して汚染するおそれを排除することが可能となる。
【００３９】
次に、図５は本発明の第２の実施形態を示すもので、この場合には、リバーシブルマットレス１０を、クッション材１１と側地材２０とから構成するのではなく、リバーシブルマットレス１０の側地材２０を省略し、クッション材１１の周面四隅部付近における厚さ方向の略中央部分に固定テープ３０をそれぞれ直接配設するようにしている。
【００４０】
各固定テープ３０は、クッション材１１の高硬度ウレタン層１４の周面四隅部付近における厚さ方向の略中央部分に直接接着される。その他の部分については、上記実施形態と同様であるので説明を省略する。
本実施形態においても上記実施形態と同様の作用効果が期待でき、しかも、側地材２０の省略により、リバーシブルマットレス１０の構成の簡素化やコスト削減が期待できるのは明らかである。
【００４１】
次に、図６は本発明の第３の実施形態を示すもので、この場合には、クッション材１１を、体圧分散性と追従性に優れる裏面側の高反発ウレタン層１２と、この高反発ウレタン層１２上に積層接着されて耐熱性、耐薬品性、体圧分散性等を向上させる立体網状体層１８と、この立体網状体層１８上に積層接着される高硬度ウレタン層１４と、この高硬度ウレタン層１４上に積層接着されて動きやすさをサポートする高反発ウレタン層１５と、この高反発ウレタン層１５上に積層接着される表面側の柔軟な低硬度ウレタン層１６とから上下五層の多層構造に構成するようにしている。その他の部分については、上記実施形態と同様であるので説明を省略する。
【００４２】
本実施形態においても上記実施形態と同様の作用効果が期待でき、しかも、ウレタン層１３の代わりに立体網状体層１８を採用するので、クッション材１１の構成の多様化が期待できるのは明白である。
【００４３】
なお、上記実施形態ではリバーシブルマットレス１０と固定テープ３０との間にシーツ３の隅部を挟み持たせたが、何らこれに限定されるものではない。例えば、リバーシブルマットレス１０と固定テープ３０との間に、医療や介護用のベッド２の上下方向に揺動するボトム部を挟み持たせて固定し、ギャッチアップ時の追従性を向上させるようにしても良い。また、マットレス１やリバーシブルマットレス１０を、表裏両面の質感・特性・平坦度が同一のエアマットレス等としても良い。
【００４４】
また、クッション材１１を、必要に応じ、裏面側の高反発ウレタン層１２と、この高反発ウレタン層１２上に積層される低硬度ウレタン層１６とから二層構造に構成しても良い。また、クッション材１１を、必要に応じ、裏面側の高反発ウレタン層１２と、この高反発ウレタン層１２上に積層される高硬度ウレタン層１４と、この高硬度ウレタン層１４上に積層される低硬度ウレタン層１６とから三層構造に構成することができる。
【００４５】
また同様に、クッション材１１を、裏面側の高反発ウレタン層１２と、この高反発ウレタン層１２上に積層される高硬度ウレタン層１４と、この高硬度ウレタン層１４上に積層される高反発ウレタン層１５と、この高反発ウレタン層１５上に積層される表面側の低硬度ウレタン層１６とから四層構造に構成することもできる。
【００４６】
また、側地材２０には、耐薬品性に優れる清拭タイプ、通気性や通水性に優れる通気タイプ等があるが、いずれのタイプも選択することが可能である。また、固定テープ３０の長さを、クッション材１１の硬い高硬度ウレタン層１４における隅部の角等を基準に調整したが、何らこれに限定されるものではない。例えば、リバーシブルマットレス１０の隅部に位置するクッション材１１の高硬質層の隅部の角等を基準に調整することも可能である。
【００４７】
また、固定テープ３０に関する数値は、所定のベッドやリバーシブルマットレス１０を対象とした場合の値であるので、所定のベッド２やリバーシブルマットレス１０を対象としない場合には、適宜変更することができる。したがって、所定のベッド２やリバーシブルマットレス１０を対象としない場合には、固定テープ３０の最短の長さを３６０ｍｍ〜３８０ｍの範囲外とすることが可能である。また、固定テープ３０の端部を、必要に応じ、高硬度ウレタン層１４の隅部の角、あるいは硬いサイドエッジにおける隅部の角から１６０ｍｍ程度、１８０ｍｍ程度、２２０ｍｍ程度、２４０ｍｍ程度離しても良い。
【００４８】
さらに、上述したサイズは、本実施形態における一例であり、適用されるマットレス１等によって変わることは勿論である。例えば、マットレス１の厚みや、固定テープ３０の位置に応じて、好ましい長さや幅が変化しても良い。
【産業上の利用可能性】
【００４９】
本発明に係るマットレスは、医療、介護、福祉等の分野で使用される。
【符号の説明】
【００５０】
１        マットレス
２        ベッド
３        シーツ（リネン材）
１０      リバーシブルマットレス（マットレス本体、マットレス）
１１      クッション材
１２      高反発ウレタン層（高反発層）
１３      ウレタン層
１４      高硬度ウレタン層（高硬度層）
１５      高反発ウレタン層
１６      低硬度ウレタン層（低硬度層）
１７      ストッパ
１８      立体網状体層
２０      側地材
２１      表面側地
２２      裏面側地
２３      開閉領域
２４      ファスナー
２５      四隅部
３０      固定テープ（固定部材）
【図１】
2019050931.tif 000003
【図２】
2019050931.tif 000004
【図３】
2019050931.tif 000005
【図４】
2019050931.tif 000006
【図５】
2019050931.tif 000007
【図６】
2019050931.tif 000008
【図７】
2019050931.tif 000009
【図８】
2019050931.tif 000010
【図９】
2019050931.tif 000011
【図１０】
2019050931.tif 000012
【図１１】
2019050931.tif 000013